(57)【要約】【課題】壁のコーナー部に樹脂製のコーナーキャップを取り付けて、コーナー部の防水施工を容易に行えるようにすると共に、止め金具が打ち込まれた場合でも、止水性が損なわれるのを回避できるコーナー部止水構造を提供する。【解決手段】手摺壁１１と本体壁部１２との接合コーナー部１３等の、３面以上が垂直に接合される壁のコーナー部に設けられるコーナー部止水構造１０において、コーナー部１３の形状に沿った立体形状に形成した樹脂製のコーナーキャップ１５をコーナー部１３に設置した後に、コーナーキャップ１３の各面を覆って、コーナー部１３の周囲の面に敷設される防水シート１４ａ，１４ｂ，１４ｃ，１４ｄの延設部分を重ねて取り付ける。コーナーキャップ１５は、表面がアスファルト層１６によって被覆されており、壁下地材１７に向けてステープル等を打ち込んだ際の止水性をアスファルト層１６によって保持する。【選択図】図１
2007231551.tif 000002
【特許請求の範囲】
【請求項１】
手摺壁の上端部分と本体壁部との接合コーナー部、壁に設けた開口周縁部分へのサッシの取付けコーナー部、外壁腰壁開口部のコーナー部等の、少なくとも３面が垂直に接合される壁のコーナー部に設けられるコーナー部止水構造において、
前記コーナー部の形状に沿った形状の、垂直に接合された複数の面からなる立体形状に形成した樹脂製のコーナーキャップを、前記コーナー部に設置した後に、前記コーナーキャップの各面を覆って、前記コーナー部の周囲の面に敷設される防水シートの延設部分を重ねて取り付けることにより構成され、
且つ前記コーナーキャップは、表面がアスファルト層又は粘着剤層によって被覆されており、外側から壁下地材に向けて止め金具を打ち込んだ際の止水性を前記アスファルト層又粘着剤層によって保持するコーナー部止水構造。
【請求項２】
前記コーナーキャップの裏面に粘着剤が塗着されている請求項１に記載のコーナー部止水構造。
【発明の詳細な説明】
【技術分野】
【０００１】
本発明は、コーナー部止水構造に関し、特に手摺壁の上端部分と本体壁部との接合コーナー部、壁部の開口周縁部分へのサッシの取付けコーナー部、外壁腰壁開口部のコーナー部等の、少なくとも３面が垂直に接合される壁のコーナー部に設けられるコーナー部止水構造に関する。
【背景技術】
【０００２】
例えば、住宅建築物に外壁等の壁を形成する場合、壁下地材を覆って防水シートを取り付け、しかる後に壁仕上げ材を施工して、壁の防水性を確保するようになっている。また、壁には、手摺壁の上端部分と本体壁部との接合コーナー部、壁に設けた開口周縁部分へのサッシの取付けコーナー部、外壁腰壁開口部のコーナー部等の、少なくとも３面が垂直に接合されるコーナー部が複数設けられることになるが、このようなコーナー部に防水シートを取り付ける場合、防止シートをコーナー部の形状に応じて複雑に折り曲げたり、重ね貼りしたりする必要があるため、防水性を損なう隙間が生じやすい。
【０００３】
このようなことから、例えば手摺壁の上端部分と本体壁部との接合コーナー部に、当該接合コーナー部の形状に沿った複数の垂直な面を有する立体形状の樹脂製の止水プレートを取り付け、取り付けた止水プレートの各面に重ねるようにして、これの周囲の面から延設する防水シートを設置することにより、コーナー部の防水施工を容易に行えるようにした技術も開発されている（例えば、特許文献１参照）。
【特許文献１】特開２００３−９６９３６号公報
【発明の開示】
【発明が解決しようとする課題】
【０００４】
一方、樹脂製の止水プレート（コーナーキャップ）を壁のコーナー部に固定する場合、例えば壁下地材に向けてステープルや釘等の止め金具が打ち込まれることになる。また、壁仕上げ材を施工する際にも、例えばモルタル仕上げのための金網やその他の部材が、壁下地材に向けてステープルや釘等の止め金具を打ち込んで固定される場合がある。このような止め金具が樹脂製の止水プレートを貫通して打ち込まれると、貫通した止め金具の周囲の隙間から漏水を生じてコーナー部における止水性が損なわれる場合がある。
【０００５】
本発明は、このような従来の課題に着目してなされたものであり、壁のコーナー部に樹脂製のコーナーキャップを取り付けて、コーナー部の防水施工を容易に行えるようにすると共に、止め金具が打ち込まれた場合でも、止水性が損なわれるのを効果的に回避することのできるコーナー部止水構造を提供することを目的とする。
【課題を解決するための手段】
【０００６】
本発明は、手摺壁の上端部分と本体壁部との接合コーナー部、壁に設けた開口周縁部分へのサッシの取付けコーナー部、外壁腰壁開口部のコーナー部等の、少なくとも３面が垂直に接合される壁のコーナー部に設けられるコーナー部止水構造において、前記コーナー部の形状に沿った形状の、垂直に接合された複数の面からなる立体形状に形成した樹脂製のコーナーキャップを、前記コーナー部に設置した後に、前記コーナーキャップの各面を覆って、前記コーナー部の周囲の面に敷設される防水シートの延設部分を重ねて取り付けることにより構成され、且つ前記コーナーキャップは、表面がアスファルト層又粘着剤層によって被覆されており、外側から壁下地材に向けて止め金具を打ち込んだ際の止水性を前記アスファルト層又は粘着剤層によって保持するコーナー部止水構造を提供するすることにより、上記目的を達成したものである。
【０００７】
また、本発明のコーナー部止水構造は、前記コーナーキャップの裏面に粘着剤が塗着されていることが好ましい。
【発明の効果】
【０００８】
本発明のコーナー部止水構造によれば、壁のコーナー部に樹脂製のコーナーキャップを取り付けて、コーナー部の防水施工を容易に行えるようにすると共に、止め金具が打ち込まれた場合でも、止水性が損なわれるのを効果的に回避することができる。
【発明を実施するための最良の形態】
【０００９】
図１に示す本発明の好ましい第１実施形態に係るコーナー部止水構造１０は、少なくとも３面が垂直に接合される壁のコーナー部として、例えば手摺壁１１の上端部分と本体壁部１２との接合コーナー部１３における防水施工を容易に行えるようにするために採用されたものである。すなわち、図１に示す接合コーナー部１３では、本体壁部１２の表面と、手摺壁１１の天面と、手摺壁１１の前後一対の側面との合計４面が垂直に接合されており、このようなコーナー部１３に対して、各面に敷設される防止シート１４ａ，１４ｂ，１４ｃ，１４ｄ（１４ｄはいわゆる鞍かけステフェルト）を単に延設して止水構造を形成する場合、防止シート１４ａ，１４ｂ，１４ｃ，１４ｄをコーナー部１３の形状に応じて複雑に折り曲げたり、重ね貼りしたりする必要があり、隙間を生じやすくなると共に施工が煩雑になることから、このような接合コーナー部１３における止水性に優れた防水施工を効率良く行えるようにするために、本第１実施形態のコーナー部止水構造１０が採用されたものである。
【００１０】
そして、本第１実施形態のコーナー部止水構造１０は、手摺壁１１の上端部分と本体壁部１２との接合コーナー部１３に設けられる止水構造において、コーナー部１３の形状に沿った形状の、垂直に接合された複数の面からなる立体形状に形成した樹脂製のコーナーキャップ１５を、コーナー部１３に設置した後に、コーナーキャップ１５の各面を覆って、コーナー部の周囲の面に敷設される防水シート１４ａ，１４ｂ，１４ｃ，１４ｄの延設部分を重ねて取り付けることにより構成され、  且つコーナーキャップ１５は、表面がアスファルト層又は粘着剤層１６によって被覆されており（図２（ｂ）参照）、外側から壁下地材１７に向けてステープル等の止め金具を打ち込んだ際の止水性をアスファルト層又粘着剤層１６によって保持するようになっている。
【００１１】
本第１実施形態のコーナー部止水構造１０を構成するコーナーキャップ１５は、例えば厚さが１ｍｍ程度のプラスチックシートからなり、このプラスチックシートに折曲げ切断加工や溶着加工等を施すことにより、図２（ａ）に示すように、コーナー部１３の形状に沿った立体形状を有する、垂直に接合された複数の面からなる止水部材として精度良く容易に形成されることになる。また、図２（ｂ）に示すように、コーナーキャップ１５の表側となる面は、その全体が、例えば厚さが１ｍｍ程度のアスファルト層１６、又は好ましくはブチル系粘着剤による厚さが０．５ｍｍ程度の粘着剤層１６によって被覆されている。
【００１２】
このようなコーナーキャップ１５は、接合コーナー部１３に防水シート１４ａ，１４ｂ，１４ｃ，１４ｄが敷設されるのに先立って、当該接合コーナー部１３の壁下地材１７に被せるようにして装着され、例えば本体壁部１２や手摺壁１１の壁下地材１７に向けて例えばステープルを打ち込むことにより固定される。ここで、コーナーキャップ１５を貫通してステープルが壁下地材１７に打ち込まれることにより、貫通孔における打ち込まれたステープルの周囲に隙間が生じることになるが、このよう隙間をコーナーキャップ１５の表面を被覆するアスファルト層又は粘着剤層１６によって閉塞することにより、コーナーキャップ１５による強固な止水性が損なわれるのを効果的に回避することが可能になる。
【００１３】
コーナーキャップ１５を接合コーナー部１３に取り付けたら、取り付けたコーナーキャップ１５の各面を覆って、コーナー部１３の周囲の面に敷設される防水シート１４ａ，１４ｂ，１４ｃ，１４ｄの延設部分を重ねて取り付けることにより、本第１実施形態のコーナー部止水構造１０が形成される。ここで、接合コーナー部１３の各角部（入隅部及び出隅部）は、当該角部分の形状に沿った角部分を有する立体形状に成形されたコーナーキャップ１５により予め精度良く覆われて、強固に止水されているので、防水シート１４ａ，１４ｂ，１４ｃ，１４ｄの延設部分をコーナーキャップ１５の各面を覆って配設し、接着剤等を介して接着するだけの簡易な作業によって、多くの手間を要することなく接合コーナー部１３の防水施工を容易に行うことが可能になる。
【００１４】
本第１実施形態によれば、接合コーナー部１３にはさらに、防水シート１４ａ，１４ｂ，１４ｃ，１４ｄを覆って壁仕上げ材が、接合コーナー部１３の周囲の面と連続して例えばモルタル仕上げによって施工される。モルタル仕上げを施工する際には、これの芯材となる金網が、本体壁部１２や手摺壁１１の壁下地材１７に向けて例えばステープルを打ち込むことにより固定される。ここで、金網を取り付けるためのステープルは、コーナーキャップ１５を貫通して壁下地材１７に打ち込まれることにより、貫通孔における打ち込まれたステープルの周囲に隙間が生じることになるが、このよう隙間をコーナーキャップ１５の表面を被覆するアスファルト層又は粘着剤層１６によって閉塞することにより、コーナーキャップ１５による強固な止水性が損なわれるのを効果的に回避することが可能になる。
【００１５】
したがって、本第１実施形態のコーナー部止水構造１０によれば、手摺壁１１の上端部分と本体壁部１２との接合コーナー部１３に樹脂製のコーナーキャップ１５を取り付けて、コーナー部の防水施工を容易に行うことが可能になると共に、ステープル等の止め金具が打ち込まれた場合でも、止水性が損なわれるのを効果的に回避することが可能になる。
【００１６】
なお、コーナーキャップ１５は、図３（ａ），（ｂ）に示すように、手摺壁１１の上端部分と本体壁部１２との接合コーナー部の少なくとも３面が垂直に接合される種々の形状に応じて、種々の形状に成形して使用することができる。
【００１７】
図４（ａ）は、本発明の第２実施形態に係るコーナー部止水構造２０の、防水シートを敷設する前の状態を示しており、本第２実施形態のコーナー部止水構造２０は、少なくとも３面が垂直に接合される壁のコーナー部として、壁２１に設けた開口周縁部分へのサッシ２２の取付けコーナー部２３において本発明を適用したものである。すなわち、本第２実施形態では、取付けコーナー部２３は、矩形枠形状のサッシ２２の角部分において垂直に接合する一対の内側立設枠２２ａ，２２ａの各外側面と、内側立設枠２２ａ，２２ａの外側に配置される外側帯状枠２２ｂ及びこれと同一面に配置される壁下地材２４による面との合計３面が垂直に接合されて形成されている。本第２実施形態のコーナー部止水構造２０は、このようなコーナー部２３の形状に沿った形状の、垂直に接合された複数の面からなる立体形状に形成した樹脂製のコーナーキャップ２５を、コーナー部２３に設置した後に、上述の第１実施形態と同様に、コーナーキャップ２５の各面を覆って、コーナー部２３の周囲の面に敷設される止水シート（図示せず。）の延設部分を重ねて取り付けることによって構成される。
【００１８】
また、本第２実施形態では、コーナーキャップ２５は、図４（ｂ）に示すように、その表側となる面の全体が、例えば厚さが１ｍｍ程度のアスファルト層２６、又は好ましくはブチル系粘着剤による厚さが０．５ｍｍ程度の粘着剤層２６によって被覆されていると共に、その裏面に粘着剤２７が塗着されている。裏面に塗着される粘着剤２７としては、段差吸収や不陸に強く、防水性を備えるブチル系粘着剤等を用いることができ、好ましくは使用前は剥離シートで覆っておき、使用時に剥離シートを剥がして用いることができる。コーナーキャップ２５の裏面に粘着剤２７が塗着されていることにより、当該粘着剤２７を介してコーナーキャップ２５をサッシ２２の内側立設枠２２ａ，２２ａの各外側面や外側帯状枠２２ｂの表面に粘着することが可能になり、壁下地材２４に向けてステープルを打ち込むことと相俟って、コーナーキャップ２５をより安定した状態でコーナー部２３に設置することが可能になる。
【００１９】
そして、本第２実施形態のコーナー部止水構造２０によっても、防水シートの延設部分を予め取り付けられたコーナーキャップ２５の各面を覆って配設し、接着剤等を介して接着するだけの簡易な作業によって、コーナー部２３の防水施工を容易に行うことができ、また壁下地材２４に向けてステープルを打ち込んだ際に貫通孔をアスファルト層又は粘着剤層２６によって閉塞して、上述の第１実施形態と同様の作用効果が奏される。
【００２０】
図５（ａ），（ｂ）は、本発明の第２実施形態に係るコーナー部止水構造２０の変形例を示すものである。図５（ａ），（ｂ）に示す変形例では、サッシ２２の内側立設枠２２ａの外側に配置される外側帯状枠２２ｂの表面と壁下地材２４の表面との間に段差が設けられており、壁下地材２４の表面の方が段差面２８を介して一段高くなっている。このため、コーナー部２３は、垂直に接合される面として段差面２８が加わった、より複雑な形状を有している。このような複雑な形状のコーナー部２３に対しても、コーナー部２３の形状に応じて成形したコーナーキャップ２５’を予めコーナー部２３に取り付け、しかる後に、コーナーキャップ２５’の各面を覆って、コーナー部２３の周囲の面に敷設される止水シートの延設部分を重ねて取り付けるだけの簡易な作業によって、コーナー部２３の防水施工を容易に行うことができ、上述の第１実施形態と同様の作用効果が奏されることになる。
【００２１】
なお、本発明は上記実施形態に限定されることなく種々の変更が可能である。例えば、少なくとも３面が垂直に接合される壁のコーナー部は、手摺壁の上端部分と本体壁部との接合コーナー部や、壁に設けた開口周縁部分へのサッシの取付けコーナー部である必要は必ずしも無く、例えば図６に示すような、外壁腰壁開口部のコーナー部２９等の、その他の種々のコーナー部であっても良い。
【図面の簡単な説明】
【００２２】
【図１】本発明の好ましい第１実施形態に係るコーナー部止水構造の構成を説明する略示斜視図である。
【図２】（ａ）はコーナーキャップの斜視図、（ｂ）はコーナーキャップを構成するプラスチックシートの層構成を説明する断面図である。
【図３】（ａ），（ｂ）はコーナーキャップの他の形態を例示する斜視図である。
【図４】（ａ）は本発明の好ましい第２実施形態に係るコーナー部止水構造の構成を説明する、防水シートを敷設する前の状態の要部斜視図、（ｂ）はコーナーキャップを構成するプラスチックシートの層構成を説明する断面図である。
【図５】（ａ）は本発明の好ましい第２実施形態に係るコーナー部止水構造の変形例を説明する、防水シートを敷設する前の状態の要部斜視図、（ｂ）は（ａ）のＡ−Ａに沿った断面図である。
【図６】本発明が適用される他の壁のコーナー部を例示する略示斜視図である。
【符号の説明】
【００２３】
１０，２０  コーナー部止水構造
１１  手摺壁
１２  本体壁部
１３  接合コーナー部（コーナー部）
１４ａ，１４ｂ，１４ｃ，１４ｄ  防水シート
１５，２５，２５’  コーナーキャップ
１６，２６  アスファルト層又は粘着剤層
１７，２４  壁下地材
２１  壁
２２  サッシ
２２ａ  サッシの内側立設枠
２２ｂ  サッシの外側帯状枠
２３  サッシの取付けコーナー部（コーナー部）
２７  粘着剤
２８  段差面
２９  コーナー部
【図１】
2007231551.tif 000003
【図２】
2007231551.tif 000004
【図３】
2007231551.tif 000005
【図４】
2007231551.tif 000006
【図５】
2007231551.tif 000007
【図６】
2007231551.tif 000008